(57)【要約】【課題】ドレンタンク内におけるスライム状異物の発生を抑制する冷凍サイクル装置及び衣類乾燥機を提供する。【解決手段】実施形態の冷凍サイクル装置は、蒸発器と、前記蒸発器近傍において凝縮した水を受けるドレンタンクと、前記ドレンタンク内の水を前記ドレンタンク外へ排出するドレンポンプと、前記ドレンタンク内の水の抗菌に供する抗菌剤と、を備える。また、前記ドレンタンクは、前記ドレンポンプへ水を排出する排出口と、前記排出口の近傍に設けられた第一凹部と、前記第一凹部と隣接するとともに前記第一凹部の前記底部よりも高く設けられた上流部と、を備える。さらに、前記第一凹部の底部には、前記第一凹部の他の部分よりもさらに低い位置に第二凹部が設けられており、前記抗菌剤の少なくとも一部は、前記第二凹部内に設けられている。【選択図】図８
2016209332.tif 000002
【特許請求の範囲】
【請求項１】
蒸発器と、前記蒸発器近傍において凝縮した水を受けるドレンタンクと、前記ドレンタンク内の水を前記ドレンタンク外へ排出するドレンポンプと、前記ドレンタンク内の水の抗菌に供する抗菌剤と、を備えた冷凍サイクル装置であって、
前記ドレンタンクは、前記ドレンポンプへ水を排出する排出口と、前記排出口の近傍に設けられた第一凹部と、前記第一凹部と隣接するとともに前記第一凹部の前記底部よりも高く設けられた上流部と、を備え、
前記第一凹部の底部には、前記第一凹部の他の部分よりもさらに低い位置に第二凹部が設けられており、
前記抗菌剤の少なくとも一部は、前記第二凹部内に設けられた冷凍サイクル装置。
【請求項２】
前記上流部は、前記第一凹部に向かって下方に傾斜した形状を有する請求項１に記載の冷凍サイクル装置。
【請求項３】
前記第二凹部を臨むように設けられた水位センサをさらに備える請求項１又は２に記載の冷凍サイクル装置。
【請求項４】
前記第二凹部を臨むように設けられた筒部をさらに備え、
前記抗菌剤は、前記筒部の内部に上下に連なって配された複数の固形物体である
請求項１から３のうちいずれか一項に記載の冷凍サイクル装置。
【請求項５】
前記抗菌剤は、袋の内部に入れられた状態で前記筒部の内部に保持される請求項４に記載の冷凍サイクル装置。
【請求項６】
前記第一凹部の内部又は近傍に設けられた第一電極と前記上流部側に設けられた第二電極とをさらに備え、
前記第一電極と前記第二電極との間の電気的特性に基づいて水位の検知を行う請求項１又は２に記載の冷凍サイクル装置。
【請求項７】
前記抗菌剤は、銀イオンを含有した徐溶性ガラスである請求項１から６のうちいずれか一項に記載の冷凍サイクル装置。
【請求項８】
前記抗菌剤は、塩素系殺菌成分を含有する請求項１から６のうちいずれか一項に記載の冷凍サイクル装置。
【請求項９】
前記ドレンポンプは、非自吸式ポンプである請求項１から８のうちいずれか一項に記載の冷凍サイクル装置。
【請求項１０】
請求項１から９のうちいずれか一項に記載の冷凍サイクル装置を備えた衣類乾燥機。
【発明の詳細な説明】
【技術分野】
【０００１】
本発明の実施形態は、冷凍サイクル装置及び衣類乾燥機に関する。
【背景技術】
【０００２】
例えば衣類乾燥機に用いられる冷凍サイクル装置（ヒートポンプユニット）において、蒸発器に結露した水滴は、蒸発器の下方に配されたドレンタンクによって受けられた後に機外へ排出される。ドレンタンク内の水をドレンポンプによって吸い出して機外へ排出する構成の冷凍サイクル装置においては、ドレンタンク内に残った水の中で雑菌が繁殖してスライム状の異物が発生し、ドレンポンプに詰まってしまったり、異臭が発生してしまったりすることがあった。
【０００３】
そこで、ドレンポンプの吸込口の付近に凹部を設けてその凹部内に優先的に水を貯留し、さらにその凹部内に抗菌剤を設けることにより、スライム状異物の発生を抑制する構成が考えられている。
【０００４】
しかし、上記構成では、ドレンタンク内の水が蒸発して少なくなった場合に、抗菌剤が水に触れなかったり抗菌剤と水との接触面積が少なくなったりして、抗菌剤の効果が十分に発揮されないことがある。
【先行技術文献】
【特許文献】
【０００５】
【特許文献１】特開２０１５−６２６４３号公報
【特許文献２】特開平９−８６９０３号公報
【発明の概要】
【発明が解決しようとする課題】
【０００６】
本発明が解決しようとする課題は、ドレンタンク内におけるスライム状異物の発生を抑制する冷凍サイクル装置及び衣類乾燥機を提供することである。
【課題を解決するための手段】
【０００７】
上記課題を達成するため、実施形態の冷凍サイクル装置は、蒸発器と、前記蒸発器近傍において凝縮した水を受けるドレンタンクと、前記ドレンタンク内の水を前記ドレンタンク外へ排出するドレンポンプと、前記ドレンタンク内の水の抗菌に供する抗菌剤と、を備える。また、前記ドレンタンクは、前記ドレンポンプへ水を排出する排出口と、前記排出口の近傍に設けられた第一凹部と、前記第一凹部と隣接するとともに前記第一凹部の前記底部よりも高く設けられた上流部と、を備える。さらに、前記第一凹部の底部には、前記第一凹部の他の部分よりもさらに低い位置に第二凹部が設けられており、前記抗菌剤の少なくとも一部は、前記第二凹部内に設けられている。
【図面の簡単な説明】
【０００８】
【図１】第一の実施形態の衣類乾燥機の模式的縦断側面図
【図２】第一の実施形態の衣類乾燥機の模式的縦断背面図
【図３】第一の実施形態の冷凍サイクルを表す概念図
【図４】第一の実施形態のヒートポンプユニットに循環ファンを取り付けた状態における斜視図
【図５】第一の実施形態のヒートポンプユニットから熱交換部カバー及び圧縮機カバーを外した状態における斜視図
【図６】第一の実施形態のドレンタンクにドレンポンプを取り付けた状態において上方から見た平面図
【図７】図６におけるＰ１−Ｐ１線に相当する部分で切断した状態での縦断面図
【図８】図６におけるＰ２−Ｐ２線に相当する部分で切断した状態での縦断面図
【図９】第二の実施形態のドレンタンクにドレンポンプを取り付けた状態において上方から見た平面図
【図１０】図９におけるＰ３−Ｐ３線に相当する部分で切断した状態での縦断面図
【図１１】図９におけるＰ４−Ｐ４線に相当する部分で切断した状態での縦断面図
【発明を実施するための形態】
【０００９】
以下、複数の実施形態について図面を参照しながら説明する。なお、複数の実施形態において実質的に同一の構成部位については、同一の符号を付し、説明を省略する。
＜第一の実施形態＞
第一の実施形態は、回転槽の回転軸が斜め方向を向いており、洗濯機能を備えた衣類乾燥機（所謂ドラム式洗濯乾燥機）である。以下、第一の実施形態について、主に図１〜図８を参照しながら説明する。
【００１０】
まず、図１及び図２を参照しながら、本実施形態の衣類乾燥機の概略について説明する。外箱１００は本実施形態のドラム式洗濯乾燥機の外面をなす箱状をなしており、その前面（図１において左側）には衣類投入口が形成され、さらに、衣類投入口を開閉する扉１０５が設けられている。また、外箱１００前面上部には、使用者による操作を受け付けるとともに使用者に対して表示を行う操作パネル１０３が設けられている。
【００１１】
以下、各部の位置関係を説明する際は、特に断りのない限り、外箱前面側を「手前」、外箱背面側を「奥」として、方向を表現し、同様に「左」、「右」も、特に断りのない限り外箱正面から見た左右を表すものとする。また、「上」、「下」は、鉛直方向に関する上下を表すものとする。
【００１２】
外箱１００内部には、有底円筒状に形成された水槽２００が、開口１０８を手前やや上方を向けて設けられており、この開口１０８は衣類投入口とベローズ１０７によって接続されている。図示しないが、水槽２００は、左右に配置された二つのサスペンションのほか、外箱１００内の上方に配されたバネによって外箱１００内に弾性的に支持されている。水槽２００の手前側上部には、排気口２１０が設けられており、また、水槽２００の閉塞された後壁部の上部には、給気口２１１が設けられている。排気口２１０及び給気口２１１は、水槽２００の内部と外部とを連通する。
【００１３】
水槽２００の内部には、有底円筒状に形成された回転槽２０１が収容されている。回転槽２０１は、水槽２００と同様に、開口１０９を手前やや上方を向けており、衣類投入口を通じて回転槽２０１の内部から衣類を出し入れすることができる。回転槽２０１は、水槽２００の背面に設けられたモータ２１２によって回転駆動される。回転槽２０１の側面及び底面には多数の孔部２０５が設けられている。孔部２０５は、洗濯行程においては通水孔として機能し、乾燥行程においては通風孔として機能する。
【００１４】
外箱１００の上部には、給水弁２０３及び給水ケース２０７が設けられている。給水弁２０３は、機外給水ホース２０６を介して外部の水道に接続されている。また、給水弁２０３は、給水ケース２０７と接続されている。給水ケース２０７には、洗剤貯留部（図示せず）が設けられており、また、給水ケース２０７は、機内給水ホース（図示せず）によって水槽２００に接続されている。給水弁２０３が開放されると、機外給水ホース２０６、給水弁２０３、給水ケース２０７及び機内給水ホースを通じて、外部の水が水槽２００内に取り込まれる。
【００１５】
水槽２００の奥側底部には、排水口２０８が形成されており、この排水口２０８の下流は、排水弁２０４を介して機内排水ホース２０９に接続されている。機内排水ホース２０９の他端は機外に臨み、図示しない機外排水ホースに接続されている。排水弁２０４を開放すると、排水口２０８、排水弁２０４及び機内排水ホース２０９を通じて、水槽２００内の水は機外へ排出される。
【００１６】
本実施形態の衣類乾燥機は、乾燥風路３００（図１及び図２参照）と冷媒の冷凍サイクルとを用いて衣類の乾燥を行う。
図３を参照して、本実施形態における冷凍サイクルについて簡単に説明する。圧縮機４０３によって冷媒を高温高圧の気体にし、凝縮器４０２において空気との熱交換によって冷媒を液化する。続いて、減圧器４０４によって低温低圧にして、蒸発器４０１で空気との熱交換によって冷媒を気化する。蒸発器４０１を通過した冷媒は、アキュムレータ４２８を通じて再度圧縮機４０３に導入される。アキュムレータ４２８は、圧縮機４０３に流入する冷媒の圧力変動を平滑化する。この冷凍サイクルの蒸発器４０１及び凝縮器４０２が、乾燥運転に供する循環風路３００中の空気と熱交換可能に配され、蒸発器４０１において空気を冷却除湿し、凝縮器４０２において空気を加熱する。
【００１７】
図１に示すように、循環風路３００は、水槽２００の外側において排気口２１０と給気口２１１とを繋いでいる。循環風路３００は、排気ダクト３０１、フィルタ装置３０２、接続ダクト３０３、熱交換部３０４、循環ファン３０６及び給気ダクト３０５を備える。乾燥運転では、図１及び図２中の矢印Ａの方向に空気が流れる。
【００１８】
排気ダクト３０１は、図１に示すように、排気口２１０とフィルタ装置３０２とを接続する。乾燥運転において、衣類から出た水分を含んだ空気は、水槽２００内から排気ダクト３０１を通じてフィルタ装置３０２へと送られる。フィルタ装置３０２は、内部にリントフィルタ３０８を備え、空気に乗って飛んできたリントを捕獲する。また、フィルタ装置３０２のリントフィルタ３０８より下流側には、可動排気口３０７が設けられている。制御回路による信号に応じて可動排気口３０７が開閉され、可動排気口３０７から機外への排気の有無が切り替えられる。
【００１９】
接続ダクト３０３によって、フィルタ装置３０２と熱交換部３０４の導入口４０６とが接続されている。熱交換部３０４は、ヒートポンプユニット４００の内部に設けられた風路であり、蒸発器４０１及び凝縮器４０２が設けられている。接続ダクト３０３を通じて蒸発器４０１に送られてきた空気は、蒸発器４０１において冷却除湿される。このとき、凝縮した水は蒸発器４０１の下方に配されたドレンタンク４１１によって受けられる。蒸発器４０１において冷却除湿された空気は、吸気口４０８より吸い込まれた空気とともに凝縮器４０２によって加熱される。熱交換部３０４の下流には、排出口４０７が設けられており、排出口４０７には循環ファン３０６が直接固定されている。ヒートポンプユニット４００の構成については、後に詳述する。
【００２０】
循環ファン３０６は、給気ダクト３０５の一端に接続されており、熱交換部３０４内の空気を給気ダクト３０５側に送り出す。給気ダクト３０５の他端は、給気口２１１に接続されており、循環風路３００を通じて除湿され温められた空気が水槽２００内に導入される。
【００２１】
以下、図４から図８を参照しながら、ヒートポンプユニット（冷凍サイクル装置）４００の構成について詳述する。図７は、図６におけるＰ１−Ｐ１線に相当する部分で切断した状態での縦断面図であり、図８は、図６におけるＰ２−Ｐ２線に相当する部分で切断した状態での縦断面図である。
【００２２】
図４及び図５に示すように、ヒートポンプユニット４００は、ドレンタンク４１１上に蒸発器４０１、凝縮器４０２、圧縮機４０３、減圧器４０４等が固定され、圧縮機カバー４０９と熱交換部カバー４１０により上部が覆われて形成される。ドレンポンプ４１５は、ドレンタンク４１１の側部に固定されている。
【００２３】
ドレンタンク４１１は、ヒートポンプユニット４００の底板として、ヒートポンプユニット４００を構成する各部品を支持するとともに、蒸発器４０１において凝縮した水を受ける。
【００２４】
図６に示すように、ドレンタンク４１１は、第一傾斜部４２１、第二傾斜部４２２及び第一凹部４２４を備えており、蒸発器４０１において凝縮した水は、第一傾斜部４２１によって受けられる。第一傾斜部４２１によって受けられた水は、第一傾斜部４２１の傾斜方向（図６中の矢印Ｂ方向）に流れて第二傾斜部４２２へ到達し、さらに第二傾斜部４２２の傾斜方向（図６の矢印Ｃ方向）に流れて第一凹部４２４に到達する。第一凹部４２４の底は、第一傾斜部４２１及び第二傾斜部４２２よりも低い位置にあるため、ドレンタンク４１１に受けられた水は、第一傾斜部４２１及び第二傾斜部４２２上を流れて下り、第一凹部４２４内に優先的に貯留される。
【００２５】
第一凹部４２４の底面のうち第二傾斜部４２２に近接する位置には、複数のリブ４２３が上方へ向けて設けられている。リブ４２３は、互い違いに二列配置されていて、蒸発器４０１や凝縮器４０２の熱交換フィンの破片等の異物が流れてきた場合に、その異物を捕獲する。即ち、リブ４２３を設けることにより、スライム状異物以外の異物からもドレンポンプ４１５を保護することができる。
【００２６】
図６及び図８に示すように、第一凹部４２４の底の一部には、第一凹部４２４よりもさらに低く設けられた第二凹部４２５が設けられている。上述のように、ドレンタンク４１１内の水は、第一凹部４２４内に優先的に貯留されるが、第一凹部４２４内の水は、第二凹部４２５内にさらに優先的に貯留される。
【００２７】
図７に示すように、第一凹部４２４の側壁には、ドレン口４１４が設けられており、ドレン口４１４には、ドレンポンプ４１５の吸込口４１６が連結されている。ドレンポンプ４１５は、非自吸式の遠心ポンプであり、ポンプモータ４１７によってインペラ４１８を回転駆動することにより、吸込口４１６側から吐出口４１９側へと送水する。図示はしないが、吐出口４１９は、ドレンチューブを介して排水経路に接続されている。このドレンチューブは吐出口４１９よりも高い位置を通るので、ポンプモータ４１７の駆動を切ると、ドレンチューブ内の残水が逆流してドレンタンク４１１内へ（特に、第一凹部４２４内へ）戻ってくる。
【００２８】
第一傾斜部４２１の上方には、支持板４２７（図５参照）が配されている。支持板４２７は、多数の円形孔が設けられた板状の樹脂製部材であり、蒸発器４０１及び凝縮器４０２を下方から支持する。前記円形孔は、蒸発器４０１において凝縮した水を通過させるとともに、蒸発器４０１及び凝縮器４０２のフィンの破片を通過させない程度の径に設計されている。
【００２９】
図５に示すように、排出口４０７は、ドレンタンク４１１の側面に設けられた開口であり、蒸発器４０１、凝縮器４０２、及び排出口４０７がこの順に連なるように設けられている。ドレンタンク４１１上において排出口４０７の反対側には、圧縮機４０３が載置され固定されている。減圧器４０４及びアキュムレータ４２８は、第二傾斜部４２２の上方に配されている。圧縮機４０３、蒸発器４０１、減圧器４０４、凝縮器４０２及びアキュムレータ４２８は、冷媒管４０５によって接続されており、これらによって冷媒回路が構成される。
【００３０】
遮蔽板４２０は、熱交換部３０４の内と外とを隔離するとともに、熱交換部３０４内において導入口４０６と蒸発器４０１との間の風路を滑らかに接続する。
図４に示すように、熱交換部カバー４１０には、導入口４０６と吸気口４０８とが設けられている。熱交換部カバー４１０は、ヒートポンプユニット４００の筺体上面の一部をなすとともに、ドレンタンク４１１、支持板４２７及び遮蔽板４２０と協働して熱交換部３０４を形成する。可動排気口３０７が開状態であるとき、可動排気口３０７を通じた排気とほぼ等量の空気が、吸気口４０８を通じて循環風路３００内に導入される。
【００３１】
圧縮機カバー４０９は、熱交換部カバー４１０とともにヒートポンプユニット４００の筺体上面をなし、ドレンタンク４１１とともにヒートポンプユニット４００の筺体側面をなす。圧縮機カバー４０９のうち第二凹部４２５の直上面となる部位には段部４０９ａが形成されていて、この段部４０９ａに保持部材４１２が設けられている。図８に示すように、段部４０９ａには、下方に延びる円筒状をなす２本の筒部４２９ａ及び４２９ｂが設けられている。両筒部４２９ａおよび４２９ｂは、円筒状に限られず、例えば四角筒状や三角筒状であってもよい。保持部材４１２には、水位検知サーミスタ４１３と抗菌剤４２６が保持されている。水位検知サーミスタ４１３は、一方の筒部４２９ａ内に上方から収容されている。抗菌剤４２６は、他方の筒部４２９ｂ内に袋４３２を介して上方から収容されている。筒部４２９ａは、空気の流れが水位検知サーミスタ４１３に当たらないようにし、空気の流れによる誤検知を防ぐ機能も有する。
【００３２】
水位検知サーミスタ４１３は、ＮＴＣサーミスタによって構成され、自己加熱が無視できない程度の電圧が印加されている。ドレンタンク４１１内の水位が低く、水位検知サーミスタ４１３が水に浸かっていない場合、水位検知サーミスタ４１３が自己加熱によって高温となって抵抗値が小さくなる。一方、ドレンタンク４１１内の水位が高く、水位検知サーミスタ４１３が水に浸かっている場合、水位検知サーミスタ４１３の熱が水に奪われるため、あまり高温とならず抵抗値があまり小さくならない。上記原理により、水位検知サーミスタ４１３によって、ドレンタンク４１１内の水位を検知することができる。
【００３３】
抗菌剤４２６は、銀イオンを含有した徐溶性ガラスの粒である。銀イオンは、抗菌剤４２６中において酸化銀として含まれており、徐溶性ガラスはリン酸系ガラスである。徐溶性ガラスとしては、リン酸系ガラスのほかホウ酸系ガラス等も使用可能である。銀イオンを含有した除溶性ガラスは、酸化剤を利用した抗菌剤とは違って熱交換フィンに悪影響を及ぼす恐れが無い。
【００３４】
図８に示すように、抗菌剤４２６は、深さ方向に長い不織布の袋４３２に投入されており、袋４３２の開口側が保持部材４１２の上面側となるように筒部４２９ｂ内に収容されて保持されている。袋４３２に水が接触することにより、第一凹部４２４内の水がこの袋に浸透して吸い上げられ、より広い面積で抗菌剤４２６が水に接触する。これによって、抗菌剤４２６の効果を十分に発揮することができる。
【００３５】
図８に示すように、両筒部４２９ａ及び４２９ｂは、先端が第一凹部４２４内に、特に、第二凹部４２５内にある。第一凹部４２４内に筒部４２９ｂの先端があることによって、第一凹部４２４に貯留された水に抗菌剤４２６を触れさせて抗菌剤４２６の効果を行きわたらせることができる。特に、第二凹部４２５内に筒部４２９ｂの先端が入っていることによって、第一凹部４２４内の水が非常に少ない場合においても、抗菌剤４２６を水に触れさせることができる。即ち、乾燥運転が行われた後、第一凹部４２４内の水が蒸発して少なくなっても、水に抗菌剤の効果を効かせることができる。
【００３６】
この第一の実施形態によれば、ドレンタンク４１１中に優先的に水を貯留する第一凹部４２４を設け、この第一凹部４２４内に抗菌剤４２６を設けることにより、水を抗菌剤４２６に近い領域に集め、効果的に抗菌剤４２６の成分を行きわたらせることができる。加えて、第一凹部４２４の底面にさらに第二凹部４２５を設け、第二凹部４２５内に抗菌剤４２６を設けることにより、ドレンタンク４１１内の水が少なくなっても抗菌剤４２６の効果を効かせることができる。
【００３７】
さらに、水が浸透可能な袋４３２の内部に抗菌剤４２６を設けたことにより、袋４３２による水の吸い上げ効果を利用して、抗菌剤４２６の効果を十分発揮させることができる。
また、第二凹部４２５を臨むように水位検知サーミスタ４１３を設けることにより、水位検知サーミスタ４１３と抗菌剤４２６との距離を近くし、スライム状異物が水位検知サーミスタ４１３の周辺に発生して誤検知が誘発されるのを防ぐことができる。
【００３８】
＜第二の実施形態＞
第二の実施形態について、主に図９から図１１を参照しながら、第一の実施形態と異なる部分を中心に説明する。
本実施形態では、第一の実施形態の水位検知サーミスタ４１３のかわりに、第一電極４３０及び第二電極４３１間の抵抗値に基づいて水位検知を行う。なお、圧縮機カバー４０９の段部４０９ａには、図１１に示すように、抗菌剤４２６を収容する筒部４２９ｂは設けられているが、水位検知サーミスタ４１３用の筒部４２９ａは設けられていない。
【００３９】
第一電極４３０は、第二凹部４２５の底面に設けられ、通常水に浸かっている。一方、第二電極４３１は、図９及び図１０に示すように、ドレンタンク４１１の側面のうち、第二傾斜部４２２に隣接する部分に設けられている。第一電極４３０及び第二電極４３１の両方の電極が水の中に浸かると二極間の抵抗値が小さくなるが、これを検知して水位を検知する。第一電極４３０は、第二電極４３１よりも低い位置に設けられているため、第二電極４３１が水面に触れる水位が検知水位となる。
【００４０】
第一電極４３０や第二電極４３１の周囲にスライム状異物が形成されると、水位を誤検知してしまう場合がある。本実施形態では、第一凹部４２４内に（特に、第二凹部４２５内に）第一電極４３０を設けられているため、抗菌剤４２６の効果によって第一電極４３０のまわりにスライム状異物が発生するのが防がれる。また、第二電極４３１は、第二傾斜部４２１に隣接する位置に設けられているため、水が溜まらずスライム状異物が発生しにくい。
【００４１】
本実施形態によれば、第一電極４３０と抗菌剤４２６とがともに第一凹部４２４（特に第二凹部４２５）内に設けられることによって、第一電極４３０のまわりにスライム状異物が発生するのを防ぎ、水位の誤検知を防ぐことができる。
なお、第二電極４３１は、第二傾斜部４２２側ではなく、例えば第一凹部４２４の上方となる位置など、水が溜まらない他の位置に設けても良い。
【００４２】
＜第三の実施形態＞
第三の実施形態について、第一の実施形態と異なる部分を中心に説明する。
本実施形態の抗菌剤４２６は、銀を含有する徐溶性ガラスではなく、遅溶性の次亜塩素酸カルシウム組成物錠剤である。遅溶性次亜塩素酸カルシウム錠剤としては、例えば、次亜塩素酸カルシウムの他にステアリン酸カルシウムを含有する錠剤（特許文献２参照）がある。遅溶性次亜塩素酸カルシウム錠剤によれば、銀を含有する徐溶性ガラスを用いる場合よりもさらに強力な抗菌性を発揮することができる。
本実施形態によれば、遅溶性の次亜塩素酸カルシウム組成物を抗菌剤４２６として用いることで、強力な抗菌性を長期間にわたって発揮することができる。
【００４３】
＜第四の実施形態＞
第四の実施形態について、第一の実施形態と異なる部分を中心に説明する。
本実施形態の抗菌剤４２６は、銀を含有する徐溶性ガラスではなく、トリクロロイソシアヌル酸組成物錠剤である。トリクロロイソシアヌル酸は、高い殺菌力を有し、かつ、水への溶解度が高くない（２５℃下では１．２ｇ／１００ｍｌ）ので、十分な抗菌性を長期間にわたって維持することができる。
【００４４】
本実施形態によれば、トリクロロイソシアヌル酸組成物を抗菌剤４２６として用いることで、強力な抗菌性を長期間にわたって発揮することができる。
第三及び第四の実施形態によれば、抗菌剤４２６に塩素系殺菌成分を含ませることでより強力な抗菌性を発揮することができる。
【００４５】
以上説明した少なくとも一つの実施形態によれば、ドレンタンク中に優先的に水を貯留する第一凹部を設け、この第一凹部内に抗菌剤を設けることにより、水を抗菌剤に近い領域に集め、スライム状異物の発生を抑制することができる。
【００４６】
本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
図面中、４００はヒートポンプユニット（冷凍サイクル装置）、４０１は蒸発器、４１１はドレンタンク、４１４はドレン口（排出口）、４１５はドレンポンプ、４２１は第一傾斜部（上流部）、４２２は第二傾斜部（上流部）、４２３はリブ、４２４は第一凹部、４２５は第二凹部、４２６は抗菌剤、４１３は水位検知サーミスタ（水位センサ）、４２９ｂは筒部、４３０は第一電極、４３１は第二電極を示す。
【図１】
2016209332.tif 000003
【図２】
2016209332.tif 000004
【図３】
2016209332.tif 000005
【図４】
2016209332.tif 000006
【図５】
2016209332.tif 000007
【図６】
2016209332.tif 000008
【図７】
2016209332.tif 000009
【図８】
2016209332.tif 000010
【図９】
2016209332.tif 000011
【図１０】
2016209332.tif 000012
【図１１】
2016209332.tif 000013